(57)【特許請求の範囲】
【請求項１】
適量の自毛に熱収縮チューブを挿通して根元側に配置した後、その自毛と取付用毛束を交差させて該自毛をループ状に結んで両者を括り付けた後、前記熱収縮チューブを前記自毛と前記取付用毛束の結び目からそれらの先端側に若干離れた位置に移動せしめて該熱収縮チューブ内に前記自毛と前記取付用毛束が挿通された状態にした後、前記熱収縮チューブを加熱することにより該熱収縮チューブを収縮させて前記自毛と前記取付用毛束とを固定する熱収縮チューブを使用したエクステンション方法。
【請求項２】
適量の自毛と取付用毛束を交差させて該自毛をループ状に結んで両者を括り付けた後、熱収縮チューブを挿通して該熱収縮チューブを前記自毛と前記取付用毛束の結び目からそれらの先端側に若干離れた位置に配置せしめて該熱収縮チューブ内に前記自毛と前記取付用毛束が挿通された状態にした後、前記熱収縮チューブを加熱することにより該熱収縮チューブを収縮させて前記自毛と前記取付用毛束とを固定する熱収縮チューブを使用したエクステンション方法。
【請求項３】
請求項１又は請求項２に記載の熱収縮チューブを使用したエクステンション方法において、前記結び目を地肌から０．５〜２ｃｍ程度離れた位置に設定したことを特徴とする熱収縮チューブを使用したエクステンション方法。
【請求項４】
請求項１乃至請求項３に記載の熱収縮チューブを使用したエクステンション方法において、前記自毛と前記取付用毛束の中央部分を交差させて該自毛をループ状に結んで両者を括り付けたことを特徴とする熱収縮チューブを使用したエクステンション方法。
【請求項５】
請求項１乃至請求項３に記載の熱収縮チューブを使用したエクステンション方法において、前記自毛と前記取付用毛束の根元部分を交差させて該自毛をループ状に結んで両者を括り付けたことを特徴とする熱収縮チューブを使用したエクステンション方法。
【請求項６】
請求項１乃至請求項５に記載の熱収縮チューブを使用したエクステンション方法において、前記熱収縮チューブの内側層を熱溶融性樹脂により構成し又は前記熱収縮チューブの内側面に熱溶融性接着剤を設け、前記自毛と前記取付用毛束との結束強度を強めたことを特徴とする熱収縮チューブを使用したエクステンション方法。
【発明の詳細な説明】
【０００１】
【発明の属する技術分野】
本発明は、自毛に人毛又は人工毛からなる取付用毛束を取り付けるエクステンション方法に関し、特に、熱収縮チューブを使用した取り付け方法に関する。
【０００２】
【従来の技術】
従来から、美理容の分野において、自毛に人毛又は人工毛からなる取付用毛束を取り付けて、髪の毛の長さを伸長したり又は髪の毛の量を増毛したりするエクステンションと称される技術が存在する。
【０００３】
このようなエクステンション技術に関し、以下の（１）〜（４）に示すような従来方法が一般的に知られているが、いずれのエクステンション方法についても、作業者にとっては、相当の熟練が要求されるばかりでなく、作業に相当の手間がかかるなどの問題を有しており、一方利用者にとっては、髪や頭皮に大きな負担がかかるばかりでなく、結束強度が弱いことに起因して取付用毛束が外れ易いなどの問題をも有している。
（１）「グルーガン・グルーボンドを使用する方法」に関する主たる問題点
１）取付時及び取外時に髪に大きな負担がかかる
２）シャンプーで軟化しやすい性質のものが多く、毛先へ引っ張る力に大変弱いので取付用毛束が外れ易い
（２）「三つ編み又は四つ編みをした後、糸で縛る方法 」に関する主たる問題点
１）取付に時間がかかる
２）髪が伸びてくると、編みがゆるんだりもつれ易くなる
３）糸が水を含んで劣化し、また不衛生である
４）毛先へ引っ張る力に弱いので取付用毛束が外れ易い
（３）「自毛をループ状にして結び目を作り、三つ編みをした後、糸ゴムで縛る方法」に関する主たる問題点
１）取付に時間がかかる
２）糸ゴムが水を含んで劣化し、また不衛生である
３）日常生活において、髪がもつれ易くなり、取付用毛束が外れ易くなる
（４）「金属製又は硬質樹脂製のビーズ状チップをペンチで潰してとめる方法」に関する主たる問題点
１）接合部分において髪に大きな負担がかかる
２）ペンチを使用するので個々の取付が大変煩雑となり、連続した長時間作業に適していない
３）取付にムラが生じやすく、結束強度が弱い場合には取付用毛束が外れ易くなる
【０００４】
また、エクステンション技術に関し、以下に示す特許出願「毛髪用繊維の取付け方法」が存在する（特許文献１参照）。この方法は、取付け時間を短縮することができ、一人でも行うこともできる毛髪用繊維の取付け方法を提供することを目的とし、請求項１に記載の発明は、「自毛束と人工毛髪用繊維束とを交差させ、その交差部の左右の位置で自毛束を人工毛髪用繊維束に少なくとも１回転ずつ巻き付け（巻き付け工程）、自毛束の先端側及び人工毛髪用繊維束の両端側を交差部付近で編み合わせ（編み合せ工程）、人工毛髪用繊維束の一部を取り分けて編み合せ部分に巻き付けた後、熱融着させる（熱融着工程）を含む毛髪用繊維の取付け方法」であり、請求項２に記載の発明は、「自毛束と毛髪用繊維束とを交差させ、その交差部の左右の位置で自毛束を毛髪用繊維束に少なくとも１回転ずつ巻き付け（巻き付け工程）、自毛束の先端側及び毛髪用繊維束の両端側を交差部付近で編み合わせ（編み合せ工程）、自毛束と毛髪用繊維束の編み合せ部分を弾性糸を結び付けて固定する（固定工程）を含む毛髪用繊維の取付け方法」である。
【０００５】
上記の請求項１又は請求項２に記載の発明によれば、確かに、２つの自毛束と毛髪用繊維束の両端側（合計４束）を編み合せる従来のエクステンション方法において内在していた問題（一人で取付を行うことの困難性）を解決することは可能になるものと考えられる。
しかしながら、これらの方法については、巻き付け工程及び編み合せ工程が発明の必須構成要件となっているため、上述した従来のエクステンション方法（１）〜（４）と同様に、作業者にとっては、相当の熟練が要求されるばかりでなく、作業に相当の手間がかかるなどの問題が残されている。
また、請求項１に記載の発明では、取付用毛束が人工毛髪用繊維束（ポリエチレンなど）に限定されるため、人毛からなる毛髪用繊維束については使用できない。
さらに、請求項２に記載の発明では、弾性糸を結び付けて固定するようにしたので、上述した従来のエクステンション方法（３）と同様に、弾性糸が水を含んで劣化し不衛生であり、日常生活において髪がもつれ易くなり、毛髪用繊維束が外れ易くなる。
【０００６】
【特許文献１】
特開２００２−２０９２２号公報
【０００７】
【発明が解決しようとする課題】
そこで、本発明は、従来のエクステンション方法では解決できなかった作業者及び利用者の双方が有していた諸問題の解決を図ることを目的とし、具体的には、自毛に人毛又は人工毛からなる任意の材質の取付用毛束の取付を簡単かつ迅速に行うことができ、さらに自毛と取付用毛束との結束強度が強く、かつ、利用者の髪や頭皮に与える負担をも軽減することができるエクステンション方法を提供することを目的とする。
【０００８】
【課題を解決するための手段】
前記課題を解決するために、請求項１に記載の発明は、適量の自毛に熱収縮チューブを挿通して根元側に配置した後、その自毛と取付用毛束を交差させて該自毛をループ状に結んで両者を括り付けた後、前記熱収縮チューブを前記自毛と前記取付用毛束の結び目からそれらの先端側に若干離れた位置に移動せしめて該熱収縮チューブ内に前記自毛と前記取付用毛束が挿通された状態にした後、前記熱収縮チューブを加熱することにより該熱収縮チューブを収縮させて前記自毛と前記取付用毛束とを固定することを特徴とする。
【０００９】
また、請求項２に記載の発明は、適量の自毛と取付用毛束を交差させて該自毛をループ状に結んで両者を括り付けた後、熱収縮チューブを挿通して該熱収縮チューブを前記自毛と前記取付用毛束の結び目からそれらの先端側に若干離れた位置に配置せしめて該熱収縮チューブ内に前記自毛と前記取付用毛束が挿通された状態にした後、前記熱収縮チューブを加熱することにより該熱収縮チューブを収縮させて前記自毛と前記取付用毛束とを固定することを特徴とする。
【００１０】
以上の発明により、作業者が取付に熟練していない場合でも、人毛又は人工毛からなる任意の材質の取付用毛束の取付を簡単かつ迅速に行うことができる。また、熱収縮チューブを自毛と取付用毛束の結び目からそれらの先端側に若干離れた位置に移動又は配置せしめて熱収縮チューブ内に自毛と取付用毛束が挿通された状態にした後に固定するようにしたので、自毛と取付用毛束とを短時間でしっかりと固定することができ、利用者の髪や頭皮に与える負担をも軽減することができる。
【００１１】
さらに、請求項３に記載の発明は、請求項１又は請求項２に記載の熱収縮チューブを使用したエクステンション方法において、前記結び目を地肌から０．５〜２ｃｍ程度離れた位置に設定したことを特徴とする。
【００１２】
また、請求項４に記載の発明は、請求項１乃至請求項３に記載の熱収縮チューブを使用したエクステンション方法において、前記自毛と前記取付用毛束の中央部分を交差させて該自毛をループ状に結んで両者を括り付けたことを特徴とする。
【００１３】
さらに、請求項５に記載の発明は、請求項１乃至請求項３に記載の熱収縮チューブを使用したエクステンション方法において、前記自毛と前記取付用毛束の根元部分を交差させて該自毛をループ状に結んで両者を括り付けたことを特徴とする。
【００１４】
加えて、請求項６に記載の発明は、請求項１乃至請求項５に記載の熱収縮チューブを使用したエクステンション方法において、前記熱収縮チューブの内側層を熱溶融性樹脂により構成し又は前記熱収縮チューブの内側面に熱溶融性接着剤を設け、前記自毛と前記取付用毛束との結束強度を強めたことを特徴とする。
【００１５】
これにより、自毛と取付用毛束との結束強度が強くなるので、従来のエクステンション方法のように取付用毛束が外れ易いという問題がなくなる。
【００１６】
【発明の実施の形態】
以下、本発明の実施の一形態について、図面を参酌しながら説明する。以下に示す実施例では、エクステンション方法の中でも、自毛と取付用毛束を交差させて該自毛をループ状に結んで両者を括り付ける場合について詳しく説明する。
【００１７】
図１は、本発明にかかる熱収縮チューブを使用したエクステンション方法の一例を示すフローチャートである。
【００１８】
図１に示すように、本発明にかかる熱収縮チューブを使用したエクステンション方法の第１実施例は、適量の自毛に熱収縮チューブを挿通するステップ（Ｓ１０）、熱収縮チューブを根元側に配置するステップ（Ｓ１１）、自毛と取付用毛束を交差させるステップ（Ｓ１２）、自毛をループ状に結んで両者を括り付けるステップ（Ｓ１３）、熱収縮チューブを自毛と取付用毛束の結び目からそれらの先端側に若干離れた位置に移動せしめるステップ（Ｓ１４）、熱収縮チューブ内に自毛と取付用毛束が挿通された状態にした後に熱収縮チューブを加熱するステップ（Ｓ１５）、熱収縮チューブを収縮させて自毛と取付用毛束とを固定するステップ（Ｓ１６）から構成される。
【００１９】
以下、各ステップの実施手順及びそれに使用される熱収縮チューブについて説明する。
【００２０】
先ず、本発明にかかるエクステンション方法に使用される熱収縮チューブは、アイロンやドライヤーなどを使って加熱することにより、チューブ自体が径方向に収縮する性質を備えている。熱収縮チューブの構造及び材質は、例えば、外側層が電子線架橋軟質ポリオレフィン樹脂と、内側層が熱溶融性ポリオレフィン樹脂により構成されるもの、電子線架橋軟質ポリオレフィン樹脂又は電子線架橋軟質難燃性ポリオレフィン樹脂の内側面に熱溶融性接着剤を設けたものなどを採用することにより、自毛と取付用毛束との結束強度を強めることができる。なお、熱収縮チューブの長さは、本発明にかかるエクステンション方法に使用できるように適当な長さに調整しておく必要がある。
【００２１】
図３は、自毛に熱収縮チューブを挿通して根元側に配置した状態を示す説明図である。図３に示すように、Ａは地肌、１０は熱収縮チューブ、２０は自毛である。作業者は、利用者の地肌Ａから適量の自毛２０を取り分け、糸通し又は特殊先端形状を有するスティックなどを用いてその自毛の先端側２０ｂから熱収縮チューブ１０を挿通し（Ｓ１０）、さらに熱収縮チューブ１０を自毛の根元側２０ａに配置する（Ｓ１１）。
【００２２】
図４は、自毛と取付用毛束を交差させて該自毛をループ状に結んで両者を括り付ける状態を示す説明図である。作業者は、熱収縮チューブ１０を自毛の根元側２０ａに配置した後（Ｓ１１）、自毛２０と取付用毛束３０の中央部分を交差させる（Ｓ１２）。そして、図４に示すように、自毛２０にループ２１を形成して自毛２０と取付用毛束３０とを括り付ける（Ｓ１３）。
【００２３】
本発明にかかるエクステンション方法において、取付用毛束３０の材質は、何等限定されるものではないため、人毛又は人工毛からなる全ての種類の毛髪用繊維の中から任意に選択することができる。
【００２４】
また、第１実施例では、自毛２０と取付用毛束３０の中央部分を交差させた例を説明するが、自毛２０と取付用毛束３０の根元側（３０ａ）の部分を交差させて両者を括り付けることができる（図示省略）。すなわち、利用者の要望等にも合わせて、少ない取付でたっぷり毛束を付けたい場合には、取付用毛束３０の中央部分を交差させるようにし、一方、取付用毛束３０のキューティクルの向きを揃える場合であって取付けが多くなっても構わないときには、取付用毛束３０の根元側（３０ａ）の部分を交差させるようにする。
【００２５】
また、第１実施例では、自毛２０をハーフヒッチの結び方によりループ状に括り付けた例を説明するが、これに限定されるものではなく、その他にツーハーフヒッチなどの結び方を適宜採用することができる。
【００２６】
図５は、熱収縮チューブを結び目から先端側に若干離れた位置に移動せしめた状態を示す説明図である。作業者は、自毛２０にループ２１を形成して自毛２０と取付用毛束３０とを括り付けた後（Ｓ１３）、熱収縮チューブ１０を結び目２２から先端側に若干離れた位置に移動せしめる（Ｓ１４）。ここで、結び目２２は、地肌Ａから０．５〜２ｃｍ程度離れた位置に設定するのが好ましい。
【００２７】
図６は、図５に示す状態における熱収縮チューブの横断面図である。図６に示すように、熱収縮チューブ１０の内側には、１束の自毛２０と、２束の取付用毛束３０が、適当な隙間１１を介して配置されている。
【００２８】
図７は、熱収縮チューブを収縮させて自毛と取付用毛束とを固定した状態を示す説明図である。作業者は、熱収縮チューブ１０を結び目２２から先端側に若干離れた位置に移動せしめた後（Ｓ１４）、熱収縮チューブ１０内に自毛２０と取付用毛束３０が挿通された状態の下で熱収縮チューブ１０をアイロンやドライヤーなどを使って加熱することにより熱収縮チューブ１０を収縮させて自毛２０と取付用毛束３０とを固定する（Ｓ１５、Ｓ１６）。
【００２９】
図８は、図７に示す状態における熱収縮チューブの横断面図である。図８に示すように、加熱により収縮した熱収縮チューブ１０の内側には、１束の自毛２０と、２束の取付用毛束３０が、互いに密着するとともに、熱収縮チューブ１０の内側により挟持された状態で固定される。
【００３０】
図２は、本発明にかかる熱収縮チューブを使用したエクステンション方法の他例を示すフローチャートである。
【００３１】
図２に示すように、本発明にかかる熱収縮チューブを使用したエクステンション方法の第２実施例は、適量の自毛と取付用毛束を交差させるステップ（Ｓ２０）、自毛をループ状に結んで両者を括り付けるステップ（Ｓ２１）、熱収縮チューブを挿通するステップ（Ｓ２２）、熱収縮チューブを自毛と取付用毛束の結び目からそれらの先端側に若干離れた位置に配置せしめるステップ（Ｓ２３）、熱収縮チューブ内に自毛と取付用毛束が挿通された状態にした後に熱収縮チューブを加熱するステップ（Ｓ２４）、熱収縮チューブを収縮させて自毛と取付用毛束とを固定するステップ（Ｓ２５）から構成される。
【００３２】
第２実施例は、上述した第１実施例と比較すると、熱収縮チューブを挿通するステップ（Ｓ２２）が、自毛と取付用毛束を括り付けるステップ（Ｓ２１）の後に行われる点において両者は相違するが、その後の熱収縮チューブを加熱するステップ（Ｓ２４）、熱収縮チューブを収縮させて自毛と取付用毛束とを固定するステップ（Ｓ２５）については、両者は共通する。すなわち、第１実施例に示すように、先に自毛２０に熱収縮チューブ１０を挿通（Ｓ１０）した方が、作業が行い易いと考えられるが、第２実施例に示すように、自毛と取付用毛束を括り付けるステップ（Ｓ２１）の後に熱収縮チューブを挿通した場合には、その後の熱収縮チューブを自毛と取付用毛束の結び目からそれらの先端側に若干離れた位置に配置せしめるステップ（Ｓ２３）が連続した動作になり、第１実施例に示すように、熱収縮チューブを根元側に配置するステップ（Ｓ１１）を省略することができるため、作業手順の簡略化を図ることができる。
【００３３】
【発明の効果】
以上のように、本発明にかかるエクステンション方法によれば、熱収縮チューブを自毛と取付用毛束の結び目からそれらの先端側に若干離れた位置に移動又は配置せしめて該熱収縮チューブ内に自毛と取付用毛束が挿通された状態にした後に加熱することにより該熱収縮チューブを収縮させて自毛と取付用毛束とを固定するようにしたので、作業者が取付に熟練していない場合でも、人毛又は人工毛からなる任意の材質の取付用毛束の取付を簡単かつ迅速に行うことができる。また、自毛と取付用毛束とを短時間でしっかりと固定することができ、利用者の髪や頭皮に与える負担をも軽減することもできる。
【００３４】
また、熱収縮チューブの内側層を熱溶融性樹脂により構成し又は熱収縮チューブの内側面に熱溶融性接着剤を設けることにより、自毛と取付用毛束との結束強度が強くなるので、従来のエクステンション方法のように取付用毛束が外れ易いという問題がなくなる。
【図面の簡単な説明】
【図１】本発明にかかる熱収縮チューブを使用したエクステンション方法の一例を示すフローチャートである。
【図２】本発明にかかる熱収縮チューブを使用したエクステンション方法の他例を示すフローチャートである。
【図３】自毛に熱収縮チューブを挿通して根元側に配置した状態を示す説明図である。
【図４】自毛と取付用毛束を交差させて該自毛をループ状に結んで両者を括り付ける状態を示す説明図である。
【図５】熱収縮チューブを結び目付近に移動せしめた状態を示す説明図である。
【図６】図５に示す状態における熱収縮チューブの横断面図である。
【図７】熱収縮チューブを収縮させて自毛と取付用毛束とを固定した状態を示す説明図である。
【図８】図７に示す状態における熱収縮チューブの横断面図である。
【符号の説明】
Ａ  地肌
１０  熱収縮チューブ
１１  隙間
２０  自毛
２０ａ  自毛の根元側
２０ｂ  自毛の先端側
２１  ループ
２２  結び目
３０  取付用毛束
３０ａ  取付用毛束の根元側
３０ｂ  取付用毛束の先端側
【図１】
0003542126.tif 000002
【図２】
0003542126.tif 000003
【図３】
0003542126.tif 000004
【図４】
0003542126.tif 000005
【図５】
0003542126.tif 000006
【図６】
0003542126.tif 000007
【図７】
0003542126.tif 000008
【図８】
0003542126.tif 000009